【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
表面の一方に凹設され第２の基板体によって覆われる微細加工分離チャネル（５）を保持している第１の基板体を備える、クロマトグラフ分離装置であって、
前記微細加工分離チャネルは、微細加工ピラーの配列が充填される流量分配領域（２０）によって先行され及び／又は後行され、前記微細加工ピラーは、前記流量分配領域の軸方向透過性に対する横方向透過性の比が少なくとも２であるように選択される形状、サイズ、及び位置決めパターンを有することを特徴とする、クロマトグラフ分離装置。
【請求項２】
前記流量分配領域は、前記分離チャネルの幅と等しい実質的に均一な横方向幅を有する、請求項１に記載のクロマトグラフ分離装置。
【請求項３】
前記微細加工ピラーは、ダイヤモンド状又は楕円状の形状を有する、請求項１又は２に記載のクロマトグラフ分離装置。
【請求項４】
前記微細加工ピラーは、横方向幅対軸方向幅の比が３／２よりも大きい、請求項１ないし３のいずれか１項に記載のクロマトグラフ分離装置。
【請求項５】
試料及びキャリア液の供給及び抜き出し用の入口接続孔及び出口接続孔をもつクロマトグラフ分離装置であって、前記微細加工ピラーは、異なるピラーサイズの異なる区域に配置され、該異なる区域は、最小ピラーを含む区域から最大ピラーを含む区域まで実質的に単調な順序で配置され、最大ピラーを含む区域は、前記入口接続孔又は前記出口接続孔の最も近くに配置される、請求項１ないし４のいずれか１項に記載のクロマトグラフ分離装置。
【請求項６】
最大ピラーを有する前記微細加工ピラーの区域は、ピラーのない開放区域に隣接する、請求項１ないし５のいずれか１項に記載のクロマトグラフ分離装置。
【請求項７】
前記開放区域は１μｍ〜２０μｍの幅を有する、請求項６に記載のクロマトグラフ分離装置。
【請求項８】
前記微細加工ピラーのサイズ及びピラー間距離は横方向で変わる、請求項１ないし７のいずれか１項に記載のクロマトグラフ分離装置。
【請求項９】
前記流量分配領域の少なくとも一部は、前記分離チャネルよりも浅い深さを有する、請求項１ないし８のいずれか１項に記載のクロマトグラフ分離装置。
【請求項１０】
前記流量分配領域の少なくとも一部は、前記分離チャネルを保持している表面とは異なる表面上に配置される、請求項１ないし９のいずれか１項に記載のクロマトグラフ分離装置。
【請求項１１】
少なくとも２つの異なる前記流量分配領域が、異なる表面上に設けられ、前記異なる流量分配領域は、異なる液体槽に接続される、請求項１ないし１０のいずれか１項に記載のクロマトグラフ分離装置。
【請求項１２】
前記流量分配領域に、１つ又は複数の不透過薄壁が設けられ、該不透過薄壁は、前記流量分配領域を２つ以上のセクションに少なくとも部分的に分割し、且つ平均流れ方向と平行に設けられ、前記セクションは、それぞれ異なる入口チャネル又は出口チャネルに接続される、請求項１ないし１１のいずれか１項に記載のクロマトグラフ分離装置。
【請求項１３】
当該流量分配領域は微細加工ピラーの配列が充填される分離チャネルの横方向幅を横切って液体を分散させる流量分配領域であって、該ピラーは、該流量分配領域の軸方向透過性に対する横方向透過性の比が少なくとも２をもつように選択される形状、サイズ、及び位置決めパターンを有する流量分配領域。
【請求項１４】
当該微細加工ピラーが異なるピラーサイズの異なる区域に配置された請求項１３の流量分配領域であって、、該異なる区域は、最小ピラーを含む区域から最大ピラーを含む区域まで実質的に単調な順序で配置され、最小ピラーを含む区域は、前記分離チャネルの最も近くに配置される流量分配領域。
【請求項１５】
分離チャネルを横切って、試料及びキャリア液の分布と透過性を調整する方法であって、軸方向の透過性の、少なくとも２倍の、横方向透過性をもって、該チャネルに液を導くことを含む方法。
【手続補正２】
【補正対象書類名】明細書
【補正対象項目名】０００７
【補正方法】変更
【補正の内容】
【０００７】
当該技術分野において、上記欠点の少なくともいくつかを克服する、微細加工分離チャネルに試料及びキャリア液を分配する装置を提供する必要がある。
【手続補正３】
【補正対象書類名】明細書
【補正対象項目名】０００９
【補正方法】変更
【補正の内容】
【０００９】
それに加えて、本発明による全実施形態において、微細加工ピラーの配列が好ましくは全深に充填される流量分配領域が形成される（developed）装置であって、微細加工ピラーの配列が、上記流量分配領域の軸方向透過性に対する横方向透過性の比が少なくとも２であるように選択される形状、サイズ、及び位置決めパターンを有する、装置が提供される。
【手続補正４】
【補正対象書類名】明細書
【補正対象項目名】００１５
【補正方法】変更
【補正の内容】
【００１５】
第１の実施形態では、本発明は、表面の一方に凹設され第２の基板体によって覆われる微細加工分離チャネルを保持している第１の基板体を備え、第１の基板体及び第２の基板体の両方に、試料及び移動相液の供給及び抜き出し用の必要な接続孔が穿孔される、クロマトグラフ分離装置であって、上記微細加工分離チャネルは、微細加工ピラーの配列が下から上まで充填される流量分配領域によって前及び／又は後を挟まれ、微細加工ピラーは、流量分配領域の軸方向透過性に対する横方向透過性の比が少なくとも２であるように選択される形状、サイズ、及び位置決めパターンを有することを特徴とする、クロマトグラフ分離装置を提供する。好ましくは、本発明は、表面の一方に凹設され第２の基板体によって覆われる微細加工分離チャネルを保持している第１の基板体を備え、第１の基板体及び第２の基板体の両方に、試料及びキャリア液の供給及び抜き出し用の入口接続孔及び出口接続孔が穿孔される、クロマトグラフ分離装置であって、上記微細加工分離チャネルは、微細加工ピラーの配列が充填される流量分配領域によって前及び／又は後を挟まれ、微細加工ピラーは、流量分配領域の軸方向透過率に対する横方向透過率が少なくとも２であるように選択される形状、サイズ、及び位置決めパターンを有することを特徴とする、クロマトグラフ分離装置に関する。
【手続補正５】
【補正対象書類名】明細書
【補正対象項目名】００３１
【補正方法】変更
【補正の内容】
【００３１】
図面表示はないが、図７ａ及び図７ｂとして説明する別の実施例は、軸方向幅よりも１０倍大きな横方向幅を有するダイヤモンドピラーから成り、したがって軸方向の分散に対する横方向の分散の比が２よりも大きい、本発明による流量分配領域で得られるバンドの広がり（図７ａ）を、例えば特許文献１に開示されているような連続分岐入口システムで得られるバンドの広がり（図７ｂ、従来技術）と比較した、ＣＣＤカメラ画像の上面図である。図７ａにおけるバンドは、図７ｂにおけるバンドよりも明らかに狭く歪みが小さい。図７ｂにおけるバンドの歪みの原因は、分岐入口の分枝同士が横方向に相互接続されていないため、分岐チャネルシステムの分枝間で避けられないわずかなエッチング誤差によって生じる流れ抵抗の差に起因するバンド歪みを入口システムの残りの部分で補正できないことにある。他方、本発明による流量分配領域は、横方向混合を促進することで横方向混合によってわずかなバンド歪みを即時補正することを可能にするように設計される。